(57)【要約】【課題】  構成上の負担が少なく座部の安定性が高い乳幼児保持具を提供する。【解決手段】  使用者が腰に着脱自在に装着する第１、第２ベルト３、４に、ウエストバッグ形の乳幼児保持具本体２が装着されている。この本体２は装着時に上下方向を向く略台形状のの腰当て部１０、腰当て部１０の上端縁から前方に延設された略半楕円形状の座部４０、腰当て部１０の下端近くから前方に延設されて、上端縁が座部４０の周端部に沿った外形を有し、前方に凸にわん曲した曲面に形成された支持部６０から成る。腰当て部１０には略台形状の芯体１１、座部４０には略半楕円形状の芯体４２が内蔵されている。支持部６０には腰当て部１０の下端近くから前方に延設されて、上端縁が座部４０の周端部に沿った外形を有し、前方に凸にわん曲した曲面に形成された芯体６６が内蔵されており、座部４０に加わった荷重が芯体６６の上端縁から下端縁を通して使用者の腰に伝達される。【選択図】      図１
2018126347.tif 000002
【特許請求の範囲】
【請求項１】
使用者が腰または胴に着脱自在に装着するベルト部と、
ベルト部に備えられて使用者が腰周りまたは胴周りの内、前寄りの一部に沿って上下方向に立てて当てる芯体付の腰当て部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で上端側が座部の周端部に沿う外形を有するとともに、わん曲面形または多面形に形成されており、
支持部は、腰当て部の下端近くから座部の周端部近くまでわん曲面形または多面形に延設された芯体を含み、該芯体の上端縁は座部の周端部に沿って形成されており、座部に加わった荷重が芯体の上端縁から下端縁を通して使用者の腰または腹部に伝達されるようにしたこと、
を特徴とする乳幼児保持具。
【請求項２】
座部の周端部と、支持部の上端部を着脱自在とする留め具を備えたこと、
を特徴とする請求項１記載の乳幼児保持具。
【請求項３】
留め具はスライドファスナーとしたこと、
を特徴とする請求項２記載の乳幼児保持具。
【請求項４】
留め具は、座部の周端部に沿って複数配設されたボタン型留め具としたこと、
を特徴とする請求項２記載の乳幼児保持具。
【請求項５】
座部の周端部下側に係止受け部を設け、
支持部の上端部を係止受け部に係脱自在に係合可能としたこと、
を特徴とする請求項１記載の乳幼児保持具。
【請求項６】
座部の周端部と、支持部の上端部を着脱自在とする留め具を備えたこと、
を特徴とする請求項５記載の乳幼児保持具。
【請求項７】
使用者が腰または胴に着脱自在に装着するベルト部と、
ベルト部に備えられて使用者が腰周りまたは胴周りの内、前寄りの一部に沿って上下方向に立てて当てる芯体付の腰当て部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で腰当て部の左右側端部の内の一方の側端部、座部の周端部、腰当部の左右側端部の内の他方の側端部に沿う外形端部を有し、わん曲面形または多面形に形成されており、
支持部は、腰当て部の下端近くから座部の周端部近くまでわん曲面形または多面形に延設された芯体を備え、該芯体の上端縁は座部の周端部に沿って形成されており、座部に加わった荷重が芯体の上端縁から下端縁を通して使用者の腰または腹部に伝達されるようにしたこと、
を特徴とする乳幼児保持具。
【請求項８】
腰当て部の左右側端部の内の一方の側端部、座部の周端部、腰当て部の左右側端部の内の他方の側端部までを第１の開口端縁とし、腰当て部の下端側を除く支持部の外形端部を第２の開口端縁とし、両開口端縁を着脱自在とする留め具を設けたこと、
を特徴とする請求項７記載の乳幼児保持具。
【請求項９】
留め具は、両開口端縁に沿って設けられたスライドファスナーとしたこと、
を特徴とする請求項８記載の乳幼児保持具。
【請求項１０】
留め具は、両開口端縁に沿って複数配設されたボタン型留め具としたこと、
を特徴とする請求項８記載の乳幼児保持具。
【請求項１１】
支持部の芯体の上端縁の少なくとも前側の一部は、座部の芯体の周端縁より、内側に位置していること、
を特徴とする請求項１乃至１０の内のいずれか一項記載の乳幼児保持具。
【請求項１２】
支持部の芯体は、下から上に延設されるとともに横に併設されて短冊状または放射状に配設された複数の芯材により形成されていること、
を特徴とする請求項１乃至１１の内のいずれか一項記載の乳幼児保持具。
【請求項１３】
座部と腰当て部の間と、支持部と腰当て部の間を各々折り曲げ自在とし、座部を腰当て部の上に重ね、更に支持部を座部の上に重ねることで折り畳み状態となるようにしたこと、
を特徴とする請求項１乃至１２の内のいずれか一項記載の乳幼児保持具。
【請求項１４】
腰当て部、座部、支持部を折り畳み状態で留める収納用留め具を備えたこと、
を特徴とする請求項１３記載の乳幼児保持具。
【発明の詳細な説明】
【技術分野】
【０００１】
本発明は乳幼児保持具に係り、とくに腰周りまたは胴周りに装着されるベルトに乳幼児のでん部を載せる座部を備えた乳幼児保持具に関する。
【背景技術】
【０００２】
従来から、使用者の腰周りに装着されるベルトに、乳幼児のでん部を載せる座部を備えた乳幼児保持具が実用化されている。使用者はベルトを腰周りに装着し、乳幼児保持具本体に設けた座部を腰の正面側または斜め前側面側に配置し、乳幼児の両足を座部の側方に垂らしながらでん部を座部に載せて保持する。座部は、乳幼児保持具本体の内、使用者が腰周りに沿って当てる腰当て部の上端部から前方に延設されており、腰当て部から座部にわたる断面Ｌ字形の芯材により、座部の形状を維持するようにしている。
ところが、従来の乳幼児保持具本体に装備された芯材は使用者の体側を支点、使用者の体から離れた前端側を自由端とした片持ち状に支持される構造なため、自由端側が乳幼児の体重で大きく下がってしまい、座部の大きな変形を招いて安定性が悪いという欠点があった。
この問題の対策として、片持ち状に支持される芯材を大型化して剛性を高め、座部の変形を抑えることが考えられるが、座部及び腰当て部が大型化し、構成上の負担が極めて大きくなってしまう。
とくに非使用時、乳幼児保持具をコンパクトに収納可能にすると利便性が増すが、腰当て部と座部にわたり大型の芯材が存在すると、コンパクトな収納状態とするのは困難である。
【先行技術文献】
【特許文献】
【０００３】
【特許文献１】実用新案登録第３１９０８３８号
【発明の概要】
【発明が解決しようとする課題】
【０００４】
本発明は上記した従来技術の問題に鑑みなされたもので、構成上の負担が少なく、座部の安定性が高い乳幼児保持具を提供することを、その目的とする。
また、折り畳み可能な乳幼児保持具を提供することを、その目的とする。
【課題を解決するための手段】
【０００５】
本発明の請求項１記載の乳幼児保持具では、
使用者が腰または胴に着脱自在に装着するベルト部と、
ベルト部に備えられて使用者が腰周りまたは胴周りの内、前寄りの一部に沿って上下方向に立てて当てる芯体付の腰当て部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で上端側が座部の周端部に沿う外形を有するとともに、わん曲面形または多面形に形成されており、
支持部は、腰当て部の下端近くから座部の周端部近くまでわん曲面形または多面形に延設された芯体を含み、該芯体の上端縁は座部の周端部に沿って形成されており、座部に加わった荷重が芯体の上端縁から下端縁を通して使用者の腰または腹部に伝達されるようにしたこと、
を特徴としている。
本発明の請求項２記載の乳幼児保持具では、
座部の周端部と、支持部の上端部を着脱自在とする留め具を備えたこと、
を特徴としている。
本発明の請求項３記載の乳幼児保持具では、
留め具はスライドファスナーとしたこと、
を特徴としている。
本発明の請求項４記載の乳幼児保持具では、
留め具は、座部の周端部に沿って複数配設されたボタン型留め具としたこと、
を特徴としている。
本発明の請求項５記載の乳幼児保持具では、
座部の周端部下側に係止受け部を設け、
支持部の上端部を係止受け部に係脱自在に係合可能としたこと、
を特徴としている。
本発明の請求項６記載の乳幼児保持具では、
座部の周端部と、支持部の上端部を着脱自在とする留め具を備えたこと、
を特徴としている。
本発明の請求項７記載の乳幼児保持具では、
使用者が腰または胴に着脱自在に装着するベルト部と、
ベルト部に備えられて使用者が腰周りまたは胴周りの内、前寄りの一部に沿って上下方向に立てて当てる芯体付の腰当て部と、
腰当て部の上端部から前方に延設されて、乳幼児がでん部を載せる芯体付の座部と、
を備えた乳幼児保持具において、
腰当て部の下端近くから前方に延設されて上端部が座部の周端部を支持する支持部を備え、
支持部は、板状で腰当て部の左右側端部の内の一方の側端部、座部の周端部、腰当部の左右側端部の内の他方の側端部に沿う外形端縁を有し、わん曲面形または多面形に形成されており、
支持部は、腰当て部の下端近くから座部の周端部近くまでわん曲面形または多面形に延設された芯体を備え、該芯体の上端縁は座部の周端部に沿って形成されており、座部に加わった荷重が芯体の上端縁から下端縁を通して使用者の腰または腹部に伝達されるようにしたこと、
を特徴としている。
本発明の請求項８記載の乳幼児保持具では、
腰当て部の左右側端部の内の一方の側端部、座部の周端部、腰当て部の左右側端部の内の他方の側端部までを第１の開口端縁とし、腰当て部の下端側を除く支持部の外形端部を第２の開口端縁とし、両開口端縁を着脱自在とする留め具を設けたこと、
を特徴としている。
本発明の請求項９記載の乳幼児保持具では、
留め具は、両開口端縁に沿って設けられたスライドファスナーとしたこと、
を特徴としている。
本発明の請求項１０記載の乳幼児保持具では、
留め具は、両開口端縁に沿って複数配設されたボタン型留め具としたこと、
を特徴としている。
本発明の請求項１１記載の乳幼児保持具では、
支持部の芯体の上端縁の少なくとも前側の一部は、座部の芯体の周端縁より、内側に位置していること、
を特徴としている。
本発明の請求項１２記載の乳幼児保持具では、
支持部の芯体は、下から上に延設されるとともに横に併設されて短冊状または放射状に配設された複数の芯材により形成されていること、
を特徴としている。
本発明の請求項１３記載の乳幼児保持具では、
座部と腰当て部の間と、支持部と腰当て部の間を各々折り曲げ自在とし、座部を腰当て部の上に重ね、更に支持部を座部の上に重ねることで折り畳み状態となるようにしたこと、
を特徴としている。
本発明の請求項１４記載の乳幼児保持具では、
腰当て部、座部、支持部を折り畳み状態で留める収納用留め具を備えたこと、
を特徴としている。
【発明の効果】
【０００６】
本発明の乳幼児保持具によれば、腰当て部の下端近くから前方へ延設された芯体付の支持部が板状でわん曲面形または多面形に形成されており、座部の周端部を支持部の上端部で強固に支持することができる。従って、座部は大型の芯材を用いなくても前寄り部分が大きく下方へ下がることはなく、少ない構成上の負担で座面を安定した状態に維持できる。また、座部等の芯材に発泡ポリプロピレンの如く軽量なプラスチック材を用いることもできるので、重量の大幅な増加を回避し、使用者が安全かつ楽に乳幼児を保持可能とすることも容易である。
また、他の発明によれば、座部と腰当て部の間と、支持部と腰当て部の間を各々折り曲げ自在としたので、非使用時は座部を腰当て部の上に重ね、更に支持部を座部の上に重ねることでコンパクトな折り畳み状態とできる。
【図面の簡単な説明】
【０００７】
【図１】本発明の一実施例に係る乳幼児保持具の外観正面図であり、ベルトを結合した状態を示す。
【図２】図１の一部省略した正面図である。
【図３】図１の一部省略した平面図である。
【図４】図１の一部省略した背面図である。
【図５】乳幼児保持具のベルトを解放した状態を示す一部省略した外観斜視図である。
【図６】乳幼児保持具のスライドファスナーを開口した状態を示す一部省略した正面図である。
【図７】乳幼児保持具の組み立て図である。
【図８】乳幼児保持具の組み立て図である。
【図９】乳幼児保持具の組み立て図である。
【図１０】乳幼児保持具の組み立て図である。
【図１１】乳幼児保持具の組み立て図である。
【図１２】図１１のＡ−Ａ’線に沿って切断した部分端面図である。
【図１３】図１１のＢ−Ｂ’線に沿って切断した部分端面図である。  乳幼児保持具の組み立て図である。
【図１４】乳幼児保持具の組み立て図である。
【図１５】乳幼児保持具の組み立て図である。
【図１６】乳幼児保持具の組み立て図である。
【図１７】乳幼児保持具の組み立て図である。
【図１８】図１７のＣ−Ｃ’線に沿って切断した部分端面図である。
【図１９】乳幼児保持具の組み立て図である。
【図２０】乳幼児保持具の折り畳み状態を示す説明図である。
【図２１】乳幼児保持具の折り畳み状態を示す外観図である。
【図２２】乳幼児保持具の作用説明図である。
【図２３】乳幼児保持具の変形例を示す一部省略した断面図である。
【発明を実施するための最良の形態】
【０００８】
以下、本発明の最良の形態を実施例に基づき説明する。
【実施例１】
【０００９】
図１乃至図６を参照して本発明の一実施例を説明する。図１は本発明に係る乳幼児保持具の外観斜視図であり、ベルトを結合した状態を示す。図２は図１の一部省略した正面図、図３は図１の一部省略した平面図、図４は図１の一部省略した背面図、図５は乳幼児保持具のベルトを解放した状態を示す一部省略した外観斜視図、図６は乳幼児保持具のスライドファスナーを開口した状態を示す一部省略した正面図である。
図１乃至図６において、１は使用者がウエストバッグの如く腰周りまたは胴周りに装着して乳幼児を保持するための乳幼児保持具であり、この内、２はバッグ形をした乳幼児保持具本体であり、上面が乳幼児のでん部を載せる座面を成す。３と４は乳幼児保持具本体２の背面側に装着された第１ベルトと第２ベルトであり、２つ合わせてベルト部をなす。第１ベルト３は厚みとクッション性のある布製で幅拾な帯状に形成されており、第２ベルト４は薄く、クッション性が無く幅の狭い帯状に形成されている。使用時、第１ベルト３を先に腰周りまたは胴周りに装着したあと、第１ベルト３の上に重ねて第２ベルト４を装着する二重ベルト構成である。第１ベルト３は左右端部に設けたメス側面ファスナー５とオス側面ファスナー６により着脱自在に結合可能となっており、第２ベルト４は左右端部に設けたメス側バックル７とオス側バックルト８により着脱自在に結合可能となっている。オス側バックル８は第２ベルト４の長さ調節部９が備えられている。
【００１０】
乳幼児保持具本体２の内、１０は板状で正面から見て横長の略逆台形状に形成された腰当て部であり、内部に板状で正面から見て横長の略逆台形状に形成された芯体１１を備えており、芯体１１の前面側が薄手で伸縮性の無い繊維素材で形成された裏地部１２で被覆されており、背面側が厚みとクッション性の有る外装部１３で被覆されている。芯体１１には剛性と柔軟性を兼ね備えた発泡ポリプロピレンなどのプラスチック素材を用いることができる。芯体１１の左右方向に延びた上側端縁１４と下側端縁１５はわずかに上に凸な楕円弧状に形成されており、左側端縁１６、右側端縁１７は斜め上下方向に直線的に形成されている。芯体１１の背面側には、上下方向に延びた複数本（例えば３乃至１１本、好ましくは５乃至９本）の溝１８が横に並べて刻設されており、使用者が装着時、腰周りに沿うように容易にわん曲するようになっている。芯体１１の形状に合わせて、腰当て部１０は上側端縁１９が楕円弧状に形成されており、左側端縁２０、右側端縁２１が斜め上下方向に直線的に形成されている。
【００１１】
腰当て部１０の下端部には内部に芯体１１の無い目形の領域があり、この領域が乳幼児保持具本体２の底部３０を成すようになっている。
腰当て部１０の背面側には、左右に延びた第１ベルト３と第２ベルト４が重ねて装着されている。具体的には腰当て部１０と第１ベルト３で第３ベルト４を間に挟むように積層されており、第１、第２ベルト３、４を腰周りまたは胴周りに装着したとき、腰当て部１０は上下方向に立つ姿勢となって背面側全体が使用者の体に密接する。
【００１２】
４０は板状で略半楕円形に形成された乳幼児がでん部を載せる座部であり、上面が座面４１となっている。座部４０は内部に板状で略半楕円形に形成された芯体４２を備えており、芯体４２の下面側が薄手で伸縮性の無い繊維素材で形成された裏地部４３で被覆されており、上面側が厚みとクッション性の有る外装部４４で被覆されている。芯体４２には剛性と柔軟性を兼ね備えた発泡ポリプロピレンなどのプラスチック素材を用いることができる。座部４０は腰当て部１０の上側端縁１９の全長から前方に、側面視がへの字状に延設されている。座部４０の周端縁４５と芯体４２の周端縁４６は半楕円弧状に形成されている。芯体４２の内、腰当て部１０のすぐ上側の基端縁４７は腰当て部１０の上側端縁１９と同一であり、芯体１１の上側端縁１４に沿って楕円弧状に形成されている。
【００１３】
腰当て部１０の芯体１１と座部４０の芯体４２は、芯体１１の上側端縁１４と芯体４２の基端縁４７が近接して対向するように配設されている。また、腰当て部１０の裏地部１２と座部４０の裏地部４３は一体の裏地部材４８を成し、外装材１３と４４も一体の外装部材４９を成す。腰当て部１０と座部４０にわたる周端部にはＵ字状に折り曲げた縁取り部５０が装着されている。
座部４０は、腰当て部１０の上側端縁１９（座部４０の基端縁５１）を折り曲げ線として先端側を上下方向に折り曲げ自在となっており、座部４０の先端側を腰当て部１０の上に重なるように折り曲げたり、元の延ばした状態とできる。
【００１４】
６０は支持部であり、この支持部６０は腰当て部１０の下端近く（ここでは底部３０の下側の端縁３１の近く）から前方へ、腰当て部１０の前側でかつ座部４０の下側の空間を囲むように延設されて、上側端部６１が座部４０の周端部５２を支持する。支持部６０は、腰当て部１０の左側端部２２、座部４０の周端部５２、腰当て部１０の右側端部２３にほぼ沿う外形端縁６５を有し、板状で前方に凸にわん曲した扇面形（略部分楕円球殻形）に形成されている。
支持部６０は内部に、支持部６０と略同形（板状でわん曲した扇面形（略部分楕円球殻形）に形成された芯体６６を備えており、芯体６６の背面側が薄手で伸縮性の無い繊維素材で形成された裏地部６７で被覆されており、前面側が厚みとクッション性の有る外装部６８で被覆されている。芯体６６には剛性と柔軟性を兼ね備えた発泡ポリプロピレンなどのプラスチック素材を用いることができる。芯体６６の上側端縁６９は座部４０の周端部５２にほぼ沿うように楕円弧状に形成されており、芯体６６の左側端縁７０は腰当て部１０の左側端部２２にほぼ沿うように直線状に形成されており、右側端縁７１は腰当て部１０の右側端部２３にほぼ沿うように直線状に形成されている。また、芯体６６の下側端縁７２及び支持部６０の下側端縁７３は腰周りまたは胴周りに沿うように楕円弧状に形成されている。芯体６６の前面側には、上下方向に延びた複数本（例えば３乃至１５本、好ましくは７乃至１１本）の溝７４が横に並べて刻設されており、わん曲させ易く形成されている。
【００１５】
支持部６０は腰当て部１０の下側端部である底部３０の下側の端縁３１近くを折り曲げ箇所として、上下に折り曲げ自在となっている。
支持部６０は楕円弧状の下側端部７５が使用者の腰または胴に当接することで、座部４０に加わる乳幼児の荷重を楕円弧状の上側端部６１の全体で受けて支持し、座部４０の周端部５２が下方へ大きく下がらないようにする機能を有する。
【００１６】
腰当て部１０の左側端部２２、右側端部２３、座部４０の周端部５２は第１の開口端部８０を成し、支持部６０の左側端部７６、右側端部７７、上側端部６１は第２の開口端部８１を成し、これら第１、第２の開口端部８０、８１の間が留め具としてのスライドファスナー８２により着脱自在（開閉自在）に装着可能になっている。スライドファスナー８２は一対の第１、第２ファスナーテープ８３、８４とスライダー８５、抜け止めテープ８６、８７を含み、腰当て部１０の左側端部２２の前面側、座部４０の周端部５２の下面側、腰当て部１０の右側端部２３の前面側に沿って第１ファスナーテープ８３が装着されており、支持部６０の背面側（裏地側）の左側端部７６、上側端部６１、右側端部７７に沿って第２ファスナーテープ８４が装着されている。
使用時はスライドファスナー８３を閉じて乳幼児保持具本体２をバック形とすることにより、支持部６０を座部４０の周端部５２を支持する補強部材とできる。
非使用時は、スライドファスナー８２を開き、座部４０と腰当て部１０の境界を折り曲げ線として座部４０を折り曲げて腰当て部１０の上に重ね、底部３０の端縁３１近くで支持部６０を折り曲げて座部４０の上に重ねることで、乳幼児保持具本体２を折り畳むことができる。
【００１７】
支持部６０の周端部にはＵ字状に折り曲げた縁取り部７８が装着されている。
また、底部３０の外側にはメス側スナップボタン９０が取着されており、支持部６０の上端部６１の背面側中央には先端にオス側スナップボタン９１が取着された留め紐９２が装着されており、折り畳んだ状態の乳幼児保持具本体２と第１、第２バンド３、４の外側に留め紐９２を廻し、オス側スナップボタン９１をメス側スナップボタン９０に嵌着することで、折り畳み状態を保持できる。メス側スナップボタン９０とオス側スナップボタン９１の付いた留め紐９２により、収納用留め具が構成されている。
【００１８】
次に、図７乃至図２０を参照して乳幼児保持具１の組み立て方法を説明図する。
まず、図７に示す如く、腰当て部１０の裏地部１２と座部４０の裏地部４３を合わせた大きさを持つ裏地部材４８を用意し、上半部分の周端縁沿いを座部４０の芯体４２の周端縁沿いの前側に縫着し（二点鎖線ａ参照）、積層体１００を作成する。積層体１００の下端部を除く前側で周端縁１０１に沿った少し内側の周端部１０２に、馬蹄形状に第１ファスナーテープ８３を縫着し（図８の二点鎖線ｂ、ｃ参照）、積層体１０３を作成する。
次に、腰当て部１０の外装部１３と座部４０の外装部４４を合わせた大きさを持つ外装部材４９を用意し、積層体１０３の裏地部材４８の背面側で芯体４２の下側に腰当て部１０の芯体１１を配置し、芯体４２と芯体１１の外側に外装部材４９を重ね合わせた積層体１０３の周端部と、芯体１１と４２の間、芯体１１の下側端縁７５に沿ったすぐ下側を縫着し（図９、図１０の二点鎖線ｄ、ｅ、ｆ参照）、積層体１０４を作成する。更に積層体１０４の周端部を一周するようにして周端部の断面をＵ字状に挟む布製の縁取り部５０を縫着し（図１１の二点鎖線ｇ、図１２、図１３参照）、腰当て部１０、底部３０、座部４０が一体となった積層体１０５を作成する。底部３０の中央にはメス側スナップボタン９０を縫着する（図１０参照）。
【００１９】
次に、図１４に示す如く、支持部６０の芯体６６の上に外装部６８、下に裏地部６７を重ねた周端縁沿いを縫着し（二点鎖線ｈ参照）、積層体２００を作成する。更に積層体２００の周端部を一周するようにして周端部の断面をＵ字状に挟む布製の縁取り部７８を縫着したのち（図１５の二点鎖線ｉ参照）、積層体２００の下側端部を除く裏地部６７側の周端縁に沿って、第２ファスナーテープ８４を縫着し（図１６、図１７の二点鎖線ｊ、図１８参照）、支持部６０を作成する。支持部６０の背面側の上側端部６１の中央にはオス側スナップボタン９１を縫着した留め紐９２を縫着する。
【００２０】
次に、図１９に示す如く、腰当て部１０と座部４０を一体化した積層体１０４の下側端部（底部３０の下側端部３２）の背面側に、支持部６０の下側端部７５の背面側を重ね合わせて縫着し（図１９の二点鎖線ｍ参照）、第１、第２ファスナーテープ８１、８２にスライダー８３を嵌め、第１ファスナーテープ８１、８２の端部間に抜け止めテープ８４、８５を縫着する（図６参照）。これにより、乳幼児保持具本体２が完成する。
最後に、図２０に示す如く、腰当て部１０の背面側に、左右に延びた第１ベルト３と第２ベルト４を、腰当て部１０と第１ベルト３で第３ベルト４を間に挟むように積層して縫着する（二点鎖線ｎ参照）。このようにして乳幼児保持具１が完成する。
【００２１】
次に、図２１、図２２を参照して上記した乳幼児保持具１の使用方法を説明する。
図２１に示す如く、乳幼児支持具本体２が折り畳んだ状態にあり、留め紐９２のオス側スナップボタン９１がメス側スナップボタンに嵌着されているときは、オス側スナップボタン９１とメス側スナップボタン９０を外し、支持部６０と、座部４０及び腰当て部１０を折り畳み状態から開き、更に、スライドファスナー８０を閉じてバッグ形とする。
次に図２１に示す如く、使用者Ｃは乳幼児保持具本体２を腰周りまたは胴周りの内の前向きまたは斜め前向きの位置にウエストバックの如く装着する。すなわち乳幼児支持具本体２から左右に延びた第１ベルト３を腰周りまたは胴周りに回し、両端部のメス側面ファスナー５とオス側面ファスナー６を合わせて装着する。更に、乳幼児支持具本体２から左右に延びた第２ベルト４を第１ベルト３の上で腰周りまたは胴周りに回し、両端部のメス側バックル７とオス側バックル８を嵌合することにより装着する。二重ベルトを使用することにより、使用者Ｃは乳幼児保持具本体２を腰周りまたは胴周りに確実に装着可能となる。
【００２２】
使用者Ｃが第１、第２ベルト３、４を装着すると、乳幼児保持具本体２は腰当て部１０が上下方向に立った向きに配設されるとともに、座部４０が水平に近い斜め上向きとなる。
この状態で図２２に示す如く、座部４０の上の座面４１に乳幼児Ｄのでん部を載せ、乳幼児保持具本体２の脇に垂らし、乳幼児Ｄの背中を手で支える。座部４０は乳幼児Ｄの重みで水平に近い斜め上前を向いた姿勢となる。
支持部６０は、その左右側端部７６、７７及び上側端部６１がスライドファスナー８０により、腰当て部１０の左右側端部２２、２３及び座部４０の周端部に留められているので、略部分楕円球殻形の強度のある形状を維持するとともに、支持部６０の楕円弧状の上側端部６１が座部４０の周端縁４５より少し内側（背面寄り）に入った下面に当接した姿勢を維持する。これにより、座部４０に加わる乳幼児Ｄの荷重を楕円弧状の上端部７５の周方向全体で受けて強固に支持することができる。
座部４０は前端部分が乳幼児Ｄの体重で下方に下がろうとするが（図２２の矢印Ｆ１参照）、支持部６０の下側端部７４が使用者の腰または胴に当接していることから、荷重が芯体６６の上側端縁６９から下側端縁７２を通して使用者の腰または胴に伝達されて生じる反力により、楕円弧状の上側端部７５が座部４０の前端部分を上方へ押し返す（図２２の矢印Ｆ２参照）。従って、座部４０は前寄り部分が大きく下方へ下がることはなく、座面４１が水平近くで安定した状態を維持し、使用者Ｃは安全かつ楽に乳幼児Ｄを保持できる。
【００２３】
なお、乳幼児保持具１により乳幼児Ｄを保持しない場合でも、乳幼児保持具本体２を腰周りまたは胴周りに装着すれば、スライドファスナー８２を開閉して内部に種々の小物を収納したり、取り出したりするウエストバックとしても使用可能である。
使用後は、第１、第２ベルト３、４を腰周りまたは胴周りから外し、スライドファスナー８２を開き、座部４０を折り曲げて腰当て部１０の上に重ね、支持部６０を座部４０の上に被せ、第１、第２ベルト３、４を腰当て部１０の外側に折り畳み、第１、第２ベルト３、４の外側に留め紐９２を周してオス側スナップボタン９１をメス側スナップボタン９０に嵌着することにより、全体をコンパクトな折り畳み状態とできる（図２１参照）。
【００２４】
この実施例によれば、使用時、支持部６０は、その左右側端部７６、７７及び上側端部７５の全長がスライドファスナー８２により、腰当て部１０の左右側端部２２、２３及び座部４０の周端部５２の全長に留められるようにしたので、前方に凸にわん曲した略部分楕円球殻形の強度のある形状を維持する。これにより、座部４０に加わる乳幼児Ｄの荷重を楕円弧状の上側端部６１の周方向全体で受けて強固に支持することができる。座部４０は前端部分が乳幼児Ｄの体重で下方に下がろうとするが（図２２の矢印Ｆ１参照）、支持部６０の下側端部７４が使用者の腰または胴に当接していることから、荷重が芯体６６の上側端縁６９から下側端縁７２を通して使用者の腰または胴に伝達されて生じる反力により、上側端部６１が座部４０の前端部分を上方へ押し返す（図２２の矢印Ｆ２参照）。従って、座部４０は大型の芯材を用いなくても前寄り部分が大きく下方へ下がることはなく、少ない構成上の負担で座面４１を水平近くで安定した状態に維持できる。また、座部４０、支持部６０、腰当て部１０の芯体４２、６６、１１に発泡ポリプロピレンの如く軽量なプラスチック材を用いることができるので、重量の大幅な増加を回避しながら、使用者Ｃが安全かつ楽に乳幼児Ｄを保持可能とできる。
また、支持部６０の楕円弧状の上側端部６１が座部４０の周端縁４５より少し内側（背面寄り）に入った下面に当接するようにしたので、乳幼児の体重で座部４０の周端部５２が支持部６０の上側端部６１から外れ難く、確実に支持することができる。
【００２５】
また、スライドファスナー８２を開閉することで、乳幼児保持部本体２の中にタオル、ティッシュ等の小物を収納したり、取り出したりするウエストバッグとして使用することもできる。
また、腰当て部１０と座部４０の間、腰当て部１０と支持部６０の間が折り曲げ自在となっており、支持部６０の下端部７５を除く周端部と、腰当て部１０の左右側端部２２、２３及び座部４０の周端部５２とはスライドチャック８２により開閉自在に留めるようにしたので、非使用時に、座部４０を折り曲げて腰当て部１０の上に重ね、支持部６０を折り曲げて座部４０の上に重ね、腰当て部１０の背面側に第１、第２バンド３、４を折り畳み、留め紐９２を折り畳んだ第１、第２バンド３、４の外に周し、オス側スナップボタン９１をメス側スナップボタン９０に嵌着することにより、コンパクトな収納状態とできる。
また、使用者への装着は、第１、第２ベルト３、４の二重ベルトにより行なうようにしたので、確実な装着が可能となる。
【００２６】
なお、上記した実施例では、支持部は板状で前方に凸にわん曲した扇面形（部分楕円球殻形または部分球殻形）の一つの芯体を内部に備えるようにしたが、上下に延びた板状の複数の芯材を短冊状または放射状に横に複数並設し、全体として一つのわん曲した扇面形（部分楕円球殻形または部分球殻形）の芯体部としても良い。この場合、隣接する芯材の側端部同士に布地を縫着するなどして一体化しても良い。
また、支持部と芯体を前方に凸にわん曲した扇面形（部分楕円球殻形または部分球殻形）としたが、前方に凸な多面形とするようにしても良い。例えば、多角錘（または多角錘台）を上下逆にした上面を除く表面の如き多面形、部分凸多面体の表面の如き多面形としても良い。
また、座部を平面的に見て半楕円形の形状としたが、半円状としたり、外に凸な多角形状としたり、これらを組み合わせた形状としても良い。例えば、腰当て部に近い基部側を台形状または方形とし、先端側を半楕円形状とすることもできる。
【００２７】
また、上記した実施例では、支持部６０の周端部と、座部４０の周端部５２及び腰当て部１０の左右側端部２２、２３から成る第１開口端部８０と、支持部６０の上側端部６１及び左右側端部７６、７７から成る第２開口端部８１の間を、スライドファスナー８２により開閉自在に留めるようにしたが、第１、第２開口端部２２、２３に沿って配設した複数のスナップボタン式留め具により、開閉自在に留めるようにしても良い。
また、図２３（１）に示す如く、座部４０Ａの下面側の周端部５２Ａ沿いにプラスチック材等から成る断面Ｌ字状で剛性の有る係止受け部３００を設け、支持部６０Ａの上側端部６１Ａを係止受け部３００に係脱自在に係合可能とし、座部４０Ａの周端部５２Ａの上面に縫着した留め紐３０１に取着したオス側スナップボタン３０２と、支持部６０Ａの上側端部６１Ａの前面側に装着したメス側スナップボタン３０３により、座部４０Ａの周端部５２Ａと支持部６０Ａの上側端部６１Ａを着脱自在に留めるようにしても良い。
或いは、図２３（２）に示す如く、座部４０Ｂの周端部５２Ｂを芯体４２Ｂとともに下方へＬ字状に折り曲げて係止受け部３００Ｂを設け、支持部６０Ａの上側端部６１Ａを係止受け部３００Ｂに係脱自在に係合可能とし、座部４０Ｂの周端部５２Ｂの上面に縫着した留め紐３０１に取着したオス側スナップボタン３０２と、支持部６０Ａの上側端部６１Ａの前面側に装着したメス側スナップボタン３０３により、座部４０Ｂの周端部５２Ｂと支持部６０Ａの上側端部６１Ａを着脱自在に留めるようにしても良い。
【産業上の利用可能性】
【００２８】
本発明は、乳幼児を保持するだっこ紐、だっこ紐兼用バッグ等に適用可能である。
【符号の説明】
【００２９】
１  乳幼児保持具
２  乳幼児保持具本体
３  第１ベルト
４  第２ベルト
１０  腰当て部
１１、４２、６６  芯体
３０  底部
４０  座部
４１  座面
６０  支持部
８２  スライドファスナー
【図１】
2018126347.tif 000003
【図２】
2018126347.tif 000004
【図３】
2018126347.tif 000005
【図４】
2018126347.tif 000006
【図５】
2018126347.tif 000007
【図６】
2018126347.tif 000008
【図７】
2018126347.tif 000009
【図８】
2018126347.tif 000010
【図９】
2018126347.tif 000011
【図１０】
2018126347.tif 000012
【図１１】
2018126347.tif 000013
【図１２】
2018126347.tif 000014
【図１３】
2018126347.tif 000015
【図１４】
2018126347.tif 000016
【図１５】
2018126347.tif 000017
【図１６】
2018126347.tif 000018
【図１７】
2018126347.tif 000019
【図１８】
2018126347.tif 000020
【図１９】
2018126347.tif 000021
【図２０】
2018126347.tif 000022
【図２１】
2018126347.tif 000023
【図２２】
2018126347.tif 000024
【図２３】
2018126347.tif 000025